(57)【要約】【課題】広告主が自動取引装置を操作することによって、広告情報を提供する地域、時間帯、期間等を指定することができ、また、広告情報のコンテンツを容易に変更することができるようにする。【解決手段】自動取引装置１１を操作して広告サービス条件を設定し、前記自動取引装置１１を操作して広告情報のコンテンツを登録し、前記自動取引装置１１を操作して広告料の決済を行い、所定の自動取引装置１１において金融取引が行われると、前記所定の自動取引装置１１の表示手段に前記広告情報のコンテンツを前記広告サービス条件に従って表示させる。【選択図】          図１
2004362281.tif 000002
【特許請求の範囲】
【請求項１】
（ａ）自動取引装置を操作して広告サービス条件を設定し、
（ｂ）前記自動取引装置を操作して広告情報のコンテンツを登録し、
（ｃ）前記自動取引装置を操作して広告料の決済を行い、
（ｄ）所定の自動取引装置において金融取引が行われると、前記所定の自動取引装置の表示手段に前記広告情報のコンテンツを前記広告サービス条件に従って表示させることを特徴とする自動取引装置における広告サービス提供方法。
【請求項２】
前記広告サービス条件は、前記広告情報のコンテンツを表示する自動取引装置、時間帯及び期間である請求項１に記載の自動取引装置における広告サービス提供方法。
【請求項３】
前記広告情報のコンテンツは、既成のコンテンツの中から選択し、又は、前記自動取引装置を操作してコンテンツを入力することによって登録する請求項１又は２に記載の自動取引装置における広告サービス提供方法。
【請求項４】
前記広告料の決済は、前記自動取引装置を操作し、カードを使用することによって、又は、現金を入金することによって行われる請求項１〜３のいずれか１項に記載の自動取引装置における広告サービス提供方法。
【請求項５】
（ａ）広告サービス条件を設定する入力手段と、
（ｂ）広告情報のコンテンツを読み込む記憶媒体取扱部と、
（ｃ）前記広告情報のコンテンツを表示する表示手段とを有し、
（ｄ）金融取引が行われると、前記表示手段に前記広告情報のコンテンツを前記広告サービス条件に従って表示させることを特徴とする自動取引装置。
【請求項６】
（ａ）自動取引装置と通信する通信手段と、
（ｂ）前記自動取引装置によって設定された広告サービス条件及び広告情報のコンテンツを記憶する記憶手段とを有し、
（ｃ）所定の自動取引装置に前記広告サービス条件及び広告情報のコンテンツを配信し、
（ｄ）金融取引が行われると、前記所定の自動取引装置の表示手段に前記広告情報のコンテンツを前記広告サービス条件に従って表示させることを特徴とする広告情報サーバ。
【発明の詳細な説明】
【０００１】
【発明の属する技術分野】
本発明は、自動取引装置における広告サービス提供方法に関するものである。
【０００２】
【従来の技術】
従来、銀行、信用金庫、郵便局等の金融機関の利用者が、入金、出金、振込、残高照会等の金融取引を行う場合、前記金融機関の支店、すなわち、営業店に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置を利用すると、該自動取引装置の表示画面に自動取引装置の操作方法の指示や取引金額等の金融取引に関する情報に加えて、前記金融機関から利用者への商品やサービスを販売するためのメッセージ、広告等の広告情報が表示されたり、印刷される広告サービス提供システムが提供されている（例えば、特許文献１参照。）。
【０００３】
この場合、営業店に来店した利用者がキャッシュカード等のカードを前記自動取引装置のカード取扱部に挿入して金融取引を行うと、前記自動取引装置はホストコンピュータと通信を行って、利用者が選択した金融処理を実行する。そして、ホストコンピュータとの通信中のように「処理実行中」の旨を表示する画面、取引選択待ち状態におけるテロップを表示する画面等に広告情報が表示されるようになっている。例えば、前記利用者が銀行における自動取引装置を操作して残高照会を選択すると、自動取引装置がホストコンピュータと通信を行って処理を実行している間に、表示画面に「当行におきましては、○月○日より新しい××サービスを開始しました。どうぞご利用下さい。」というようなメッセージが表示されるようになっている。
【０００４】
これにより、金融機関は、利用者に対して広告情報を提供することができる。一般に、自動取引装置を操作している前記利用者は表示画面を注視していることが多いので、自動取引装置の表示画面に表示された広告情報は、例えば、テレビの画面に表示された広告情報よりも、大きな宣伝効果を有するものである。また、前記利用者も、処理の終了を待っている暇な時間に有益な広告情報を得ることができる。
【０００５】
【特許文献１】
特開平９−１１５０３４号公報
【０００６】
【発明が解決しようとする課題】
しかしながら、前記従来の自動取引装置における広告サービス提供方法においては、自動取引装置の表示画面が広告媒体として有効であるにも関わらず、広告主として広告情報を提供するのは、前記自動取引装置を運営する金融機関だけであり、自動取引装置の表示画面が広告媒体として効率的に活用されていない。
【０００７】
もっとも、一般の企業等の広告情報を自動取引装置の表示画面に表示することも提案されているが、この場合、一般の企業等の広告主は、あらかじめ金融機関と契約を締結して、所定の広告情報を所定の期間だけ、所定の地域の自動取引装置の表示画面に表示するようになっている。そのため、特定の地域を対象とした広告情報を短期間だけ提供したい場合や、広告情報のコンテンツを頻繁に変更したい場合には、前記自動取引装置の表示画面を広告媒体として活用することが困難であった。例えば、地域の食堂、レストラン等の飲食施設、映画館、パチンコ店等の娯楽施設、商店、売店等の商業施設等の各種施設が、該当する地域の住民に対して、日替わりのサービス、目玉商品、バーゲンセール等の広告情報を提供しようとしても、前記自動取引装置の表示画面を広告媒体として活用することができなかった。
【０００８】
本発明は、前記従来の自動取引装置における広告サービス提供方法の問題点を解決して、広告主が自動取引装置を操作することによって、広告情報を提供する地域、時間帯、期間等を指定することができ、また、広告情報のコンテンツを容易に変更することができる自動取引装置における広告サービス提供方法を提供することを目的とする。
【０００９】
【課題を解決するための手段】
そのために、本発明の自動取引装置における広告サービス提供方法においては、自動取引装置を操作して広告サービス条件を設定し、前記自動取引装置を操作して広告情報のコンテンツを登録し、前記自動取引装置を操作して広告料の決済を行い、所定の自動取引装置において金融取引が行われると、前記所定の自動取引装置の表示手段に前記広告情報のコンテンツを前記広告サービス条件に従って表示させる。
【００１０】
本発明の他の自動取引装置における広告サービス提供方法においては、さらに、前記広告サービス条件は、前記広告情報のコンテンツを表示する自動取引装置、時間帯及び期間である。
【００１１】
本発明の更に他の自動取引装置における広告サービス提供方法においては、さらに、前記広告情報のコンテンツは、既成のコンテンツの中から選択し、又は、前記自動取引装置を操作してコンテンツを入力することによって登録する。
【００１２】
本発明の更に他の自動取引装置における広告サービス提供方法においては、さらに、前記広告料の決済は、前記自動取引装置を操作し、カードを使用することによって、又は、現金を入金することによって行われる。
【００１３】
本発明の自動取引装置においては、広告サービス条件を設定する入力手段と、広告情報のコンテンツを読み込む記憶媒体取扱部と、前記広告情報のコンテンツを表示する表示手段とを有し、金融取引が行われると、前記表示手段に前記広告情報のコンテンツを前記広告サービス条件に従って表示させる。
【００１４】
本発明の広告情報サーバにおいては、自動取引装置と通信する通信手段と、前記自動取引装置によって設定された広告サービス条件及び広告情報のコンテンツを記憶する記憶手段とを有し、所定の自動取引装置に前記広告サービス条件及び広告情報のコンテンツを配信し、金融取引が行われると、前記所定の自動取引装置の表示手段に前記広告情報のコンテンツを前記広告サービス条件に従って表示させる。
【００１５】
【発明の実施の形態】
以下、本発明の実施の形態について図面を参照しながら詳細に説明する。
【００１６】
図１は本発明の第１の実施の形態における広告サービス提供システムの構成を示す図である。
【００１７】
図において、１１は、銀行、信用金庫、郵便局等の金融機関の支店等に配設されたＣＤ、ＡＴＭ等の自動取引装置であり、前記金融機関の利用者が自分で操作して入金、出金、通帳記帳、残高照会、振込、振替、送金、定期性預金設定等の金融サービスを利用するための装置である。また、前記自動取引装置１１は、他の機能、例えば、チケット予約機能、商品購入申込機能、クレジットカードの与信確認機能、施設情報案内機能等を有するキオスク端末のような多機能端末であってもよい。なお、前記利用者は、金融機関に自己の口座を開設し、前記金融サービスを利用する者であり、一般的には個人であるが、企業、団体等であってもよい。
【００１８】
そして、前記自動取引装置１１は、キーボード、タッチパネル、マウス等の入力手段、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段等を備える利用者操作部１２を有する。なお、該利用者操作部１２は、入力手段と表示手段との機能を兼ね備えるタッチパネルであることが望ましい。
【００１９】
また、前記自動取引装置１１は、キャッシュカード等のカードを取り扱うカード取扱部１３を有する。ここで、前記カードは、金融機関が利用者に対して発行した入金、出金、振込、残高照会等の金融取引を行うためのカードであり、利用者の氏名、口座番号、暗証番号等の情報を格納する磁気ストライプを備える。なお、前記情報を格納する部材としては、前記磁気ストライプに代えて、カードに埋め込まれたＩＣであってもよい。
【００２０】
そして、前記カード取扱部１３は、カードが挿入されるカードスロットを備え、該カードスロット内には、図示されないカードを搬送する搬送装置、及び、カードの磁気ストライプやＩＣに格納された情報の読取、上書、消去等を行うための磁気ヘッド等の記録ヘッドが配設される。なお、前記カード取扱部１３は他の金融機関の発行したキャッシュカードやクレジットカード、デビットカード等の他の種類のカードも取り扱えることが望ましい。
【００２１】
さらに、前記カード取扱部１３は取引明細票を発行する機能を備える。該取引明細票は、入金、出金、通帳記帳、残高照会、振込、振替、送金、定期性預金設定等の利用者が行った金融取引に関する情報が印刷される紙片であり、口座番号、金融取引の種類、取引金額等が印刷される。なお、前記取引明細票は、利用者が希望した時だけに発行されるようにしてもよい。
【００２２】
そして、前記自動取引装置１１は、預金通帳等の通帳に記帳する通帳記帳部１４を有する。ここで、前記通帳は、金融機関が利用者に対して発行した預金通帳等の冊子状の通帳であり、入金、出金、振込、振替、送金、定期性預金設定等の金融取引の記録が印刷されるものである。なお、前記通帳の表紙又は裏表紙には、利用者の氏名、口座番号、暗証番号等の情報を格納する磁気ストライプを備える。
【００２３】
また、前記通帳記帳部１４は、通帳が挿入される通帳スロットを備え、該通帳スロット内には、図示されない通帳を搬送する搬送装置、通帳に前記金融取引の記録を印刷する印字ヘッド、及び、通帳の磁気ストライプに格納された情報の読取、上書、消去等を行うための磁気ヘッド等の記録ヘッドが配設される。
【００２４】
そして、前記自動取引装置１１は、紙幣又は硬貨を取り扱う貨幣入出金部１５を有する。該貨幣入出金部１５は、入金等の金融取引において利用者が入金した現金を受け取りカウントするとともに、出金等の金融取引において所定金額の紙幣又は硬貨を払い出す。
【００２５】
さらに、前記自動取引装置１１は、フロッピー（Ｒ）ディスク、ＣＤ−ＲＯＭ、ＭＯ、ＤＶＤ−ＲＯＭ、メモリカード、棒状メモリ等の取り外し可能な記憶媒体を取り扱う記憶媒体取扱部１６を備える。なお、前記記憶媒体は、表示手段の表示画面に表示される広告情報を格納するものである。そして、前記記憶媒体取扱部１６は、前記記憶媒体が挿入される挿入スロットを備え、該挿入スロット内には、前記記憶媒体に格納された広告情報を読み取るための読取手段が配設される。なお、セキュリティの観点から、前記挿入スロットの入口には、パスワード等を入力しない限り開かないような蓋（ふた）を配設することもできる。また、同様にセキュリティの観点から、前記読取手段は、所定の条件の下でしか記憶媒体にアクセスしないものであってもよいし、前記記憶媒体に格納された広告情報が所定のファイル形式のものでないと読み取らないものであってもよい。
【００２６】
そして、前記自動取引装置１１は、広告情報を格納する広告情報記憶部１７及び制御部１８を有する。前記広告情報記憶部１７は、半導体メモリ、磁気ディスク等の記憶手段を備える一種のデータベースであり、あらかじめ作成され入力された広告情報、及び、前記読取手段が読み取った広告情報を格納する。また、前記制御部１８は、ＣＰＵ、ＭＰＵ等の演算手段、半導体メモリ、磁気ディスク等の記憶手段、通信手段等を備え、前記自動取引装置１１の動作を統括的に制御する。
【００２７】
また、２１は、ＣＰＵ、ＭＰＵ等の演算手段、半導体メモリ、磁気ディスク等の記憶手段、入力手段、通信手段等を備えるコンピュータとしての勘定系上位装置であり、前記金融機関のホストコンピュータとして機能する。前記勘定系上位装置２１は、金融機関の本部等に配設され、勘定系ネットワーク２３を介して、前記自動取引装置１１と通信可能に接続されている。前記勘定系ネットワーク２３は、通常、オンラインネットワークであるが、無線又は有線の専用通信回線網又は公衆通信回線網、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等のいかなるものであってもよい。また、前記勘定系上位装置２１は、勘定系ネットワーク２３を介して前記自動取引装置１１と勘定取引通信を行うことによって、利用者が前記自動取引装置１１を操作して行った金融取引を処理する。
【００２８】
そして、２２は、ＣＰＵ、ＭＰＵ等の演算手段、半導体メモリ、磁気ディスク等の記憶手段、入力手段、通信手段等を備えるコンピュータとしての広告情報サーバである。該広告情報サーバ２２は、金融機関の本部等に配設され、広告情報ネットワーク２４を介して前記自動取引装置１１と通信可能に接続されている。ここで、前記広告情報サーバ２２は、広告情報を自動取引装置１１の利用者操作部１２の表示画面に表示させるためのスケジュール管理手段、自動取引装置１１の空き状況を管理するための空き状況管理手段等を備える。また、前記広告情報ネットワーク２４は、無線又は有線の専用通信回線網、公衆通信回線網、ＬＡＮ、ＷＡＮ、インターネット等のいかなるものであってもよいが、前記勘定系ネットワーク２３とは独立したものであることが望ましい。なお、前記広告情報ネットワーク２４は、公衆通信回線網を利用したＶＰＮ（Ｖｉｒｔｕａｌ  Ｐｒｉｖａｔｅ  Ｎｅｔｗｏｒｋ）であってもよい。
【００２９】
本実施の形態において、前記自動取引装置１１は、金融機関の利用者が、入金、出金、振込、残高照会等の金融取引を行うために、利用者操作部１２を操作すると該利用者操作部１２の表示画面に自動取引装置１１の操作方法の指示や取引金額等の金融取引に関する情報に加えて、広告情報のコンテンツを表示する。この場合、前記利用者がキャッシュカード等のカードをカード取扱部１３に挿入して金融取引を行うと、自動取引装置１１は、ホストコンピュータとしての勘定系上位装置２１と通信を行って、利用者が選択した金融処理を実行するが、該金融処理を実行している合間に、前記利用者操作部１２の表示画面に広告情報を表示するようになっている。なお、前記広告情報は、前記金融処理が終了した時に表示されてもよいし、利用者が利用者操作部１２の操作を開始するまでの時間、すなわち、アイドル時間中に表示されてもよい。
【００３０】
また、前記広告情報の広告主は、例えば、前記自動取引装置１１が配設されている地域の食堂、レストラン等の飲食施設、映画館、パチンコ店等の娯楽施設、商店、売店等の商業施設等の各種施設の経営者であるが、企業、団体、個人のいかなる者であってもよいし、前記自動取引装置１１が配設されている地域と無関係な者であってもよい。また、前記広告情報も、例えば、前記自動取引装置１１が配設されている地域の住民を主たる対象とするものであるが、いかなる者を対象とするものであってもよい。そして、前記広告主は自動取引装置１１を操作して、広告サービス条件を設定し、前記自動取引装置１１を操作して広告情報のコンテンツを登録し、前記自動取引装置１１を操作して広告料の決済を行う。これにより、所定の自動取引装置１１において金融取引が行われると、該自動取引装置１１の表示手段に前記広告情報のコンテンツを前記広告サービス条件に従って表示させることができるようになっている。
【００３１】
次に、前記構成の広告サービス提供システムの動作について説明する。
【００３２】
図２は本発明の第１の実施の形態における自動取引装置の表示画面の例を示す第１の図、図３は本発明の第１の実施の形態における自動取引装置の表示画面の例を示す第２の図、図４は本発明の第１の実施の形態における自動取引装置の表示画面の例を示す第３の図、図５は本発明の第１の実施の形態における自動取引装置の表示画面の例を示す第４の図、図６は本発明の第１の実施の形態における自動取引装置の表示画面の例を示す第５の図、図７は本発明の第１の実施の形態における自動取引装置の表示画面の例を示す第６の図、図８は本発明の第１の実施の形態における自動取引装置の表示画面の例を示す第７の図、図９は本発明の第１の実施の形態における自動取引装置の表示画面の例を示す第８の図、図１０は本発明の第１の実施の形態における自動取引装置の表示画面の例を示す第９の図、図１１は本発明の第１の実施の形態における自動取引装置の表示画面の例を示す第１０の図、図１２は本発明の第１の実施の形態における自動取引装置の表示画面の例を示す第１１の図、図１３は本発明の第１の実施の形態における自動取引装置の表示画面の例を示す第１２の図、図１４は本発明の第１の実施の形態における自動取引装置の表示画面の例を示す第１３の図、図１５は本発明の第１の実施の形態における自動取引装置の表示画面の例を示す第１４の図、図１６は本発明の第１の実施の形態における広告情報サーバから自動取引装置に広告情報を配信する動作を示す図である。
【００３３】
本実施の形態においては、広告主が自動取引装置１１の利用者操作部１２の表示画面に表示させるために広告サービス条件を設定し、広告情報のコンテンツを登録し、広告料の決済を行う場合の動作について説明する。この場合、広告情報のコンテンツとしての広告画面のデザインは既成のものを使用して、広告料の決済はキャッシュカードで行う場合について説明する。
【００３４】
まず、広告主が金融機関の営業店に配設された自動取引装置１１を操作して広告情報を設定する場合、前記利用者操作部１２の表示手段には図２に示されるような取引選択画面が表示される。ここでは、前記利用者操作部１２の表示手段が入力手段との機能を兼ね備えるタッチパネルである場合について説明する。そして、前記広告主は、前記利用者操作部１２の表示手段に表示されている選択手段としての選択項目の中から「広告申込」を選択する。この場合、前記広告主は、前記利用者操作部１２の表示手段に表示された図２に示されるような選択項目の中の「広告申込」に触れる、すなわち、タッチする。
【００３５】
そして、広告申込が選択されると、前記利用者操作部１２の表示手段には図３に示されるような広告情報コンテンツ表示地域選択画面が表示される。すると、前記広告主は、前記利用者操作部１２の表示手段に表示されている選択項目の中から所望の地域を選択する。これにより、広告情報のコンテンツを表示する自動取引装置１１を選択することができる。ここでは、操作している自動取引装置１１が配設された営業店、すなわち、この支店に配設されたすべての自動取引装置１１に広告情報を表示することを選択するものとする。この場合、前記広告主は、前記利用者操作部１２の表示手段に表示された図３に示されるような選択項目の中の「この支店のみ」にタッチする。
【００３６】
続いて、利用者操作部１２の表示手段には図４に示されるような広告情報コンテンツ表示時間選択画面が表示される。そして、前記広告主は、前記利用者操作部１２の表示手段に表示されている選択項目の中から所望の時間を選択する。ここでは、操作している時間帯を指定することを選択するものとする。この場合、前記広告主は、前記利用者操作部１２の表示手段に表示された図４に示されるような選択項目の中の「時間帯を指定する」にタッチする。
【００３７】
続いて、前記利用者操作部１２の表示手段には図５に示されるような広告情報コンテンツ表示時間入力画面が表示される。そして、前記広告主は、所望の時間帯を入力する。この場合、前記広告主は、前記利用者操作部１２の表示手段に表示された図５に示されるようなテンキーにタッチして時間帯の開始と終了の時間を入力する。なお、前記時間帯が既に予約されている場合には、前記時間帯の入力が完了した時点で、入力された時間帯が予約済みである旨が前記利用者操作部１２の表示手段に表示される。この場合、前記広告主は、広告情報を表示する時間の選択をやり直す。また、前記時間帯が既に予約されている場合、入力された時間帯が予約済みである旨とともに、空いている時間帯が表示されるようにしてもよい。
【００３８】
そして、時間帯が入力されると、前記利用者操作部１２の表示手段には図６に示されるような広告情報表示期間選択画面が表示される。前記広告主は、前記利用者操作部１２の表示手段に表示されている選択項目の中から所望の期間を選択する。ここでは、広告情報表示期間として１ヶ月を選択するものとする。この場合、前記広告主は、前記利用者操作部１２の表示手段に表示された図６に示されるような選択項目の中の「１ヶ月」にタッチする。
【００３９】
続いて、前記利用者操作部１２の表示手段には図７に示されるような広告サービス条件確認画面が表示される。そして、前記広告主は、前記利用者操作部１２の表示手段に表示されている広告サービス条件を確認し、該広告サービス条件が正しければ「確認」を選択し、正しくなければ「取消」を選択する。なお、前記広告サービス条件は、前記広告情報のコンテンツを表示する自動取引装置１１、時間帯及び期間であるが前記広告サービス条件確認画面には広告料の金額も表示される。ここでは、「確認」を選択するものとし、前記広告主は、前記利用者操作部１２の表示手段に表示された図７に示されるような選択項目の中の「確認」にタッチする。
【００４０】
続いて、前記利用者操作部１２の表示手段には図８に示されるような広告文言入力画面が表示される。そして、前記広告主は、広告情報のコンテンツの一部として、所望の文言を入力する。この場合、前記広告主は、前記利用者操作部１２の表示手段に表示された図８に示されるような５０音キーにタッチして文言を構成する文字を入力する。なお、「変換」にタッチすることによって、通常のワードプロセッサと同様に、仮名を漢字に変換することができる。
【００４１】
続いて、前記利用者操作部１２の表示手段には図９に示されるようなデザイン入力方法選択画面が表示される。そして、前記広告主は、前記利用者操作部１２の表示手段に表示されている選択項目の中から、広告情報のコンテンツのデザイン入力方法を選択する。ここでは、既成のデザインの利用を選択するものとする。この場合、前記広告主は、前記利用者操作部１２の表示手段に表示された図９に示されるような選択項目の中の「既成のデザイン」にタッチする。
【００４２】
続いて、前記利用者操作部１２の表示手段には図１０に示されるような広告デザイン選択画面が表示される。そして、前記広告主は、利用者操作部１２の表示手段に表示されている選択項目の中から所望のデザインに対応するジャンルを選択する。ここでは、エレガントなデザインの利用を選択するものとする。この場合、前記広告主は、前記利用者操作部１２の表示手段に表示された図１０に示されるような選択項目の中の「エレガント」にタッチする。
【００４３】
続いて、前記利用者操作部１２の表示手段には図１１に示されるような広告デザイン確認画面が表示される。そして、前記広告主は、前記利用者操作部１２の表示手段に表示されている広告情報のコンテンツとしての広告画面のデザインを確認し、該デザインで満足であれば「確認」を選択し、前記デザインを手直しする必要があれば「手直し」を選択する。ここでは、「確認」を選択するものとし、前記広告主は、前記利用者操作部１２の表示手段に表示された図１１に示されるような選択項目の中の「確認」にタッチする。
【００４４】
続いて、前記利用者操作部１２の表示手段には図１２に示されるような広告料決済方法選択画面が表示される。そして、前記広告主は、前記利用者操作部１２の表示手段に表示されている選択項目の中から所望の決済方法を選択する。ここでは、キャッシュカードを使用して、前記広告主の口座から広告料を支払う方法を選択するものとする。この場合、前記広告主は、前記利用者操作部１２の表示手段に表示された図１２に示されるような選択項目の中の「カード」にタッチする。なお、広告料の決済方法として口座からの自動引き落としを選択することができるようにしてもよいし、クレジットカードを使用してクレジット決済を行うことを選択することができるようにしてもよい。
【００４５】
続いて、前記利用者操作部１２の表示手段には図１３に示されるようなカード挿入指示画面が表示される。そして、前記広告主は、カード挿入指示に従って、カード取扱部１３のカードスロットにキャッシュカードを挿入し、さらに、暗証番号を入力する。すると、前記利用者操作部１２の表示手段には図１４に示されるような処理実行中画面が表示される。
【００４６】
続いて、処理が終了すると、前記利用者操作部１２の表示手段には図１５に示されるようなカード受取指示画面が表示される。そして、前記広告主は、カード受取指示に従って、前記カード取扱部１３のカードスロットからキャッシュカードを回収する。これにより、広告主が自動取引装置１１の利用者操作部１２の表示画面に広告情報を表示させるための広告サービス条件を設定する動作が完了する。
【００４７】
なお、図１４に示されるような処理実行中画面が表示されている間、自動取引装置１１と勘定系上位装置２１とが勘定取引通信を行い、前記広告主の口座から広告料が金融機関に支払われることによって、広告料の決済が行われる。
【００４８】
また、図１６に示されるように、自動取引装置１１と広告情報サーバ２２とが通信を行い、設定された広告情報及び広告サービス条件が自動取引装置１１から広告情報サーバ２２に送信されて登録される。さらに、前記広告情報及び広告サービス条件は、広告情報サーバ２２から他の自動取引装置１１に転送される。
【００４９】
ここで、他の自動取引装置１１とは、広告主が操作を行った自動取引装置１１以外のものであり、広告サービス条件として設定された広告情報のコンテンツを表示する所定の自動取引装置１１である。なお、図３に示されるように、広告主が操作を行った自動取引装置１１を所定の自動取引装置１１として設定することもできる。本実施の形態において、所定の自動取引装置１１は、広告主が操作を行う自動取引装置１１、該自動取引装置１１が配設されている営業店に属するすべての自動取引装置１１、特定の都市に配設されたすべての自動取引装置１１、及び、全国に配設されたすべての自動取引装置１１として、設定することができる。
【００５０】
そして、広告情報のコンテンツを表示する所定の自動取引装置１１は、広告情報サーバ２２から転送された広告サービス条件としての時間帯及び期間になると、広告情報のコンテンツを表示する。
【００５１】
例えば、図７に示されるような広告サービス条件確認画面に表示された××支店に配設された自動取引装置１１の場合、図７に示されるような時間帯になると、前記広告情報が××支店に配設された自動取引装置１１の利用者操作部１２の表示手段に表示される。
【００５２】
なお、前記広告情報及び広告サービス条件は、所定の自動取引装置１１の広告情報記憶部１７に格納されるようにしてもよいが、広告情報サーバ２２の記憶手段に格納され、所定の時間帯になると所定の自動取引装置１１に対して、広告情報が配信されるようにしてもよい。
【００５３】
このように、本実施の形態においては、広告主が自動取引装置１１を操作することによって、任意の広告情報を登録し、広告情報を提供する地域、時間帯、期間等の広告サービス条件を指定して、自動取引装置１１の表示画面に表示させることができる。これにより、広告主は、自動取引装置１１の表示画面を広告媒体として容易に活用することができる。
【００５４】
また、自動取引装置１１を運営する金融機関は、広告媒体として自動取引装置１１の表示画面を開放することによって広告収入を得ることができる。
【００５５】
さらに、広告主は、目的に応じて、広告情報を提供する地域、時間帯、期間等を選択することができ、既存の広告媒体よりも安価に広告情報を表示させることができる。
【００５６】
さらに、自動取引装置１１を運営する金融機関は、自動取引装置１１が配設された地域に限定した広告情報を表示させることによって、地域社会への貢献をアピールすることができる。また、広告料を自動取引装置１１によって決済することができるので、広告収入を得るための事業としての新規投資が不要である。
【００５７】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５８】
本実施の形態における広告サービス提供システムの構成は前記第１の実施の形態と同様であるので、説明を省略し、その動作について説明する。
【００５９】
図１７は本発明の第２の実施の形態における自動取引装置の表示画面の例を示す第１の図、図１８は本発明の第２の実施の形態における自動取引装置の表示画面の例を示す第２の図、図１９は本発明の第２の実施の形態における自動取引装置の表示画面の例を示す第３の図、図２０は本発明の第２の実施の形態における自動取引装置の表示画面の例を示す第４の図、図２１は本発明の第２の実施の形態における自動取引装置の表示画面の例を示す第５の図、図２２は本発明の第２の実施の形態における自動取引装置の表示画面の例を示す第６の図、図２３は本発明の第２の実施の形態における自動取引装置の表示画面の例を示す第７の図、図２４は本発明の第２の実施の形態における自動取引装置の表示画面の例を示す第８の図である。
【００６０】
本実施の形態においては、広告情報のコンテンツとしての広告画面のデザインはあらかじめ作成したものを入力して、広告料の決済は現金を入金することによって行う場合について説明する。なお、本実施の形態において、広告主が金融機関の営業店に配設された自動取引装置１１を操作して広告情報を設定を開始してから広告情報表示条件を確認するまでの動作については、前記第１の実施の形態における図２〜７に示される動作と同様であるので説明を省略する。
【００６１】
ここで、広告主が広告情報表示条件を確認すると、前記利用者操作部１２の表示手段には図１７に示されるような広告文言入力画面が表示される。本実施の形態において、前記広告主は、広告文言を入力しないことを選択する。この場合、前記広告主は、前記利用者操作部１２の表示手段に表示された図１７に示されるような選択項目の中の「不要」にタッチする。なお、所望の文言を入力する場合には、前記利用者操作部１２の表示手段に表示された図１７に示されるような５０音キーにタッチして文言を構成する文字を入力し、「変換」にタッチすることによって、通常のワードプロセッサと同様に、仮名を漢字に変換することができる。
【００６２】
続いて、前記利用者操作部１２の表示手段には図１８に示されるようなデザイン入力方法選択画面が表示される。そして、前記広告主は、利用者操作部１２の表示手段に表示されている選択項目の中から、広告情報のコンテンツのデザイン入力方法を選択する。ここでは、自分で所持する記憶媒体に格納されているあらかじめ作成されたデザインを利用するものとする。この場合、前記広告主は、前記利用者操作部１２の表示手段に表示された図１８に示されるような選択項目の中の「記憶媒体」にタッチする。
【００６３】
続いて、前記利用者操作部１２の表示手段には図１９に示されるような記憶媒体挿入指示画面が表示される。そして、前記広告主は、記憶媒体挿入指示に従って、記憶媒体取扱部１６の挿入スロットに、自分で所持するフロッピー（Ｒ）ディスク、ＣＤ−ＲＯＭ、ＭＯ、ＤＶＤ−ＲＯＭ、メモリカード、棒状メモリ等の取り外し可能な記憶媒体を挿入し、前記利用者操作部１２の表示手段に表示された図１９に示されるような選択項目の中の「読取」にタッチする。これにより、前記記憶媒体に格納されているあらかじめ作成された広告情報のコンテンツとしての広告画面のデザインが前記記憶媒体取扱部１６の読取手段によって読み取られて、入力される。
【００６４】
続いて、前記利用者操作部１２の表示手段には図２０に示されるような広告デザイン確認画面が表示される。そして、前記広告主は、前記利用者操作部１２の表示手段に表示されている広告画面のデザインを確認し、該デザインで満足であれば「確認」を選択し、前記デザインを手直しする必要があれば「手直し」を選択する。ここでは、「確認」を選択するものとし、前記広告主は、前記利用者操作部１２の表示手段に表示された図２０に示されるような選択項目の中の「確認」にタッチする。
【００６５】
続いて、前記利用者操作部１２の表示手段には図２１に示されるような広告料決済方法選択画面が表示される。そして、前記広告主は、前記利用者操作部１２の表示手段に表示されている選択項目の中から所望の決済方法を選択する。ここでは、現金によって広告料を支払う方法を選択するものとする。この場合、前記広告主は、前記利用者操作部１２の表示手段に表示された図２１に示されるような選択項目の中の「現金」にタッチする。
【００６６】
続いて、前記利用者操作部１２の表示手段には図２２に示されるような入金指示画面が表示される。そして、前記広告主は、入金指示に従って、貨幣入出金部１５に紙幣又は硬貨を入金する。すると、前記利用者操作部１２の表示手段には図２３に示されるような処理実行中画面が表示される。
【００６７】
続いて、処理が終了すると、前記利用者操作部１２の表示手段には図２４に示されるようなレシート受取指示画面が表示される。そして、前記広告主は、レシート受取指示に従って、レシートを受け取る。これにより、広告主が自動取引装置１１の利用者操作部１２の表示画面に広告情報を表示させるための広告サービス条件を設定する動作が完了する。
【００６８】
このように、本実施の形態においては、自動取引装置１１の表示画面に表示させる広告情報のコンテンツとしての広告画面のデザインとして、記憶媒体に格納されたあらかじめ作成されたデザインを入力することができる。そのため、広告主は広告の対象に適したデザインの広告画面を自動取引装置１１の表示画面に表示させることができ、広告効果を高めることができる。
【００６９】
なお、広告主は、広告だけでなく、写真、絵画等の発表の場として自動取引装置１１の表示画面を利用することもできる。
【００７０】
また、本発明は前記実施の形態に限定されるものではなく、本発明の趣旨に基づいて種々変形させることが可能であり、それらを本発明の範囲から排除するものではない。
【００７１】
【発明の効果】
以上詳細に説明したように、本発明によれば、広告主が自動取引装置を操作することによって、広告情報を提供する地域、時間帯、期間等を指定することができ、また、広告情報のコンテンツを容易に変更することができる。
【図面の簡単な説明】
【図１】本発明の第１の実施の形態における広告サービス提供システムの構成を示す図である。
【図２】本発明の第１の実施の形態における自動取引装置の表示画面の例を示す第１の図である。
【図３】本発明の第１の実施の形態における自動取引装置の表示画面の例を示す第２の図である。
【図４】本発明の第１の実施の形態における自動取引装置の表示画面の例を示す第３の図である。
【図５】本発明の第１の実施の形態における自動取引装置の表示画面の例を示す第４の図である。
【図６】本発明の第１の実施の形態における自動取引装置の表示画面の例を示す第５の図である。
【図７】本発明の第１の実施の形態における自動取引装置の表示画面の例を示す第６の図である。
【図８】本発明の第１の実施の形態における自動取引装置の表示画面の例を示す第７の図である。
【図９】本発明の第１の実施の形態における自動取引装置の表示画面の例を示す第８の図である。
【図１０】本発明の第１の実施の形態における自動取引装置の表示画面の例を示す第９の図である。
【図１１】本発明の第１の実施の形態における自動取引装置の表示画面の例を示す第１０の図である。
【図１２】本発明の第１の実施の形態における自動取引装置の表示画面の例を示す第１１の図である。
【図１３】本発明の第１の実施の形態における自動取引装置の表示画面の例を示す第１２の図である。
【図１４】本発明の第１の実施の形態における自動取引装置の表示画面の例を示す第１３の図である。
【図１５】本発明の第１の実施の形態における自動取引装置の表示画面の例を示す第１４の図である。
【図１６】本発明の第１の実施の形態における広告情報サーバから自動取引装置に広告情報を配信する動作を示す図である。
【図１７】本発明の第２の実施の形態における自動取引装置の表示画面の例を示す第１の図である。
【図１８】本発明の第２の実施の形態における自動取引装置の表示画面の例を示す第２の図である。
【図１９】本発明の第２の実施の形態における自動取引装置の表示画面の例を示す第３の図である。
【図２０】本発明の第２の実施の形態における自動取引装置の表示画面の例を示す第４の図である。
【図２１】本発明の第２の実施の形態における自動取引装置の表示画面の例を示す第５の図である。
【図２２】本発明の第２の実施の形態における自動取引装置の表示画面の例を示す第６の図である。
【図２３】本発明の第２の実施の形態における自動取引装置の表示画面の例を示す第７の図である。
【図２４】本発明の第２の実施の形態における自動取引装置の表示画面の例を示す第８の図である。
【符号の説明】
１１    自動取引装置
【図１】
2004362281.tif 000003
【図２】
2004362281.tif 000004
【図３】
2004362281.tif 000005
【図４】
2004362281.tif 000006
【図５】
2004362281.tif 000007
【図６】
2004362281.tif 000008
【図７】
2004362281.tif 000009
【図８】
2004362281.tif 000010
【図９】
2004362281.tif 000011
【図１０】
2004362281.tif 000012
【図１１】
2004362281.tif 000013
【図１２】
2004362281.tif 000014
【図１３】
2004362281.tif 000015
【図１４】
2004362281.tif 000016
【図１５】
2004362281.tif 000017
【図１６】
2004362281.tif 000018
【図１７】
2004362281.tif 000019
【図１８】
2004362281.tif 000020
【図１９】
2004362281.tif 000021
【図２０】
2004362281.tif 000022
【図２１】
2004362281.tif 000023
【図２２】
2004362281.tif 000024
【図２３】
2004362281.tif 000025
【図２４】
2004362281.tif 000026